(57)【特許請求の範囲】
【請求項１】
折り畳み可能なデバイスであって、
第１ケース、第２ケース、フレキシブルディスプレイスクリーン、回転軸及びフレキシブル被覆層を含み、
前記第１ケースと前記第２ケースとは、前記回転軸により接続され、
前記フレキシブル被覆層は、前記第１ケースと前記第２ケースにそれぞれ接続され、前記回転軸の外側を取り囲み、
前記フレキシブルディスプレイスクリーンは、前記第１ケースと前記第２ケースにそれぞれ接続され、前記第１ケース、前記第２ケース及び前記回転軸の内側に位置し、
前記フレキシブル被覆層は、第１端及び第２端を含み、
前記第１端は前記第１ケースに接続され、前記第２端は前記第２ケースに接続され、
前記第１端と前記第２端との間に褶曲層が設けられ、
前記フレキシブル被覆層は、フレキシブル材料からなり、両端が平面となり、中間が鋸歯状になる
ことを特徴とする折り畳み可能なデバイス。
【請求項２】
前記回転軸は、第１部品、第２部品及び接続部品を含み、
前記第１部品と前記第２部品とは、前記接続部品により接続され、且つ前記接続部品の周りに回転可能であり、
前記フレキシブル被覆層は、前記接続部品の外側を取り囲み、
前記第１ケースに第１係合溝が設けられ、前記第１部品が前記第１係合溝に係合して接続され、
前記第２ケースに第２係合溝が設けられ、前記第２部品が前記第２係合溝に係合して接続される
ことを特徴とする請求項１に記載の折り畳み可能なデバイス。
【請求項３】
前記第１ケース又は前記第２ケースが前記回転軸の周りに回転して前記第１ケースが前記第２ケースに近接する場合、前記褶曲層が展開し、
前記第１ケース又は前記第２ケースが前記回転軸の周りに回転して前記第１ケースが前記第２ケースから離れる場合、前記褶曲層が圧縮する
ことを特徴とする請求項１に記載の折り畳み可能なデバイス。
【請求項４】
前記第１ケースと前記第２ケースとが同一の平面に位置する場合、前記褶曲層の外表面、前記第１ケースの外表面及び前記第２ケースの外表面が同一の平面に位置する
ことを特徴とする請求項１又は３に記載の折り畳み可能なデバイス。
【請求項５】
前記フレキシブル被覆層は、粘着性物質で前記第１ケースと前記第２ケースにそれぞれ接続され、
前記粘着性物質は、接着剤又は両面テープである
ことを特徴とする請求項１に記載の折り畳み可能なデバイス。
【請求項６】
前記フレキシブル被覆層がフレキシブル材料からなり、
前記フレキシブル材料は、ポリイミド（ＰＩ）、ポリエチレンテレフタレート（ＰＥＴ）、熱可塑性ポリウレタンエラストマー（ＴＰＵ）又はシリカゲルである
ことを特徴とする請求項１に記載の折り畳み可能なデバイス。
【請求項７】
折り畳み可能なデバイスの組立方法であって、
請求項１〜６のいずれか１項に前記の折り畳み可能なデバイスに応用され、
前記フレキシブル被覆層を前記第１ケースと前記第２ケースにそれぞれ接続することと、
前記回転軸が前記フレキシブル被覆層の内側に位置するように、前記回転軸を前記第１ケースと前記第２ケースにそれぞれ接続することとを含む
ことを特徴とする折り畳み可能なデバイスの組立方法。
【請求項８】
前記回転軸は、第１部品、第２部品及び接続部品を含み、
前記回転軸を前記第１ケースと前記第２ケースにそれぞれ接続することは、
前記第１部品を前記第１ケースに設けられた第１係合溝に係合して接続することと、
前記第２部品を前記第２ケースに設けられた第２係合溝に係合して接続することとを含む
ことを特徴とする請求項７に記載の折り畳み可能なデバイスの組立方法。
【請求項９】
前記第１ケースが前記回転軸の周りに回転して前記第２ケースに近接する過程において、前記フレキシブル被覆層の褶曲層が展開すること、又は、
前記第２ケースが前記回転軸の周りに回転して前記第１ケースに近接する過程において、前記フレキシブル被覆層の褶曲層が展開することをさらに含む
ことを特徴とする請求項７に記載の折り畳み可能なデバイスの組立方法。
【請求項１０】
前記第１ケースが前記回転軸の周りに回転して前記第２ケースから離れる過程において、前記フレキシブル被覆層の褶曲層が圧縮すること、又は、
前記第２ケースが前記回転軸の周りに回転して前記第１ケースから離れる過程において、前記フレキシブル被覆層の褶曲層が圧縮することをさらに含む
ことを特徴とする請求項７に記載の折り畳み可能なデバイスの組立方法。
【発明の詳細な説明】
【関連出願の参照】
【０００１】
本願は、２０１８年７月２７日に出願された中国特許出願第２０１８１０８４０３５５．Ｘ号の優先権を主張しており、その全体が参照されることにより本明細書に組み込まれる。
【技術分野】
【０００２】
本開示は電子技術分野に関し、具体的に、折り畳み可能なデバイス及び組立方法に関する。
【背景技術】
【０００３】
電子技術の高速発展及び多様化のデバイスの台頭に伴って、現在、折り畳み可能なデバイスが将来の発展の趨勢となる。折り畳み可能なデバイスは、折り畳み可能なケースとともに折り畳み可能なフレキシブルディスプレイスクリーンを備え、折畳状態にある時に、デバイスの占用する空間を低減させ、展開状態にある時に、ユーザーに大きいフレキシブルディスプレイスクリーンの使用面積を提供し、ユーザーの視覚効果を向上させることができる。
従来の技術において、折り畳み可能なデバイスに２つ部分のケース及びディスプレイスクリーンが配置されており、２つ部分のケースが回転軸により接続され、且つ、各部分のケースが回転軸の周りに回転することができる。回転してから２つ部分のケースが回転軸の両側にそれぞれ位置する時に、ディスプレイスクリーンが展開状態になり、ユーザーに完全なディスプレイスクリーンを展示し、ユーザーが折り畳み可能なデバイスをすぐ使用することができる。回転してから２つ部分のケースが回転軸の同一側に位置する場合、ディスプレイスクリーンが折畳状態になり、デバイスの折畳効果を実現する。
【発明の概要】
【０００４】
本開示は、従来の技術にある課題を解決することができる折り畳み可能なデバイス及び組立方法を提供し、前記技術案は以下の通りである。
【０００５】
第１形態として、折り畳み可能なデバイスを提供し、前記折り畳み可能なデバイスは、第１ケース、第２ケース、フレキシブルディスプレイスクリーン、回転軸及びフレキシブル被覆層を含み、
前記第１ケースと前記第２ケースとは、前記回転軸により接続され、
前記フレキシブル被覆層は、前記第１ケースと前記第２ケースにそれぞれ接続され、前記回転軸の外側を取り囲み、
前記フレキシブルディスプレイスクリーンは、前記第１ケースと前記第２ケースにそれぞれ接続され、前記第１ケース、前記第２ケース及び前記回転軸の内側に位置する。
【０００６】
１つの実現可能な形態において、前記回転軸は、第１部品、第２部品及び接続部品を含み、前記第１部品と前記第２部品とは、前記接続部品により接続され、且つ前記接続部品の周りに回転可能であり、前記フレキシブル被覆層は、前記接続部品の外側を取り囲み、
前記第１ケースに第１係合溝が設けられ、前記第１部品は、前記第１係合溝に係合して接続され、
前記第２ケースに第２係合溝が設けられ、前記第２部品は、前記第２係合溝に係合して接続される。
【０００７】
他の実現可能な形態において、前記フレキシブル被覆層は、第１端及び第２端を含み、前記第１端は前記第１ケースに接続され、前記第２端は前記第２ケースに接続され、
前記第１端と前記第２端との間に褶曲層が設けられている。
【０００８】
他の実現可能な形態において、前記第１ケース又は前記第２ケースが前記回転軸の周りに回転して前記第１ケースが前記第２ケースに近接する場合、前記褶曲層が展開し、
前記第１ケース又は前記第２ケースが前記回転軸の周りに回転して前記第１ケースが前記第２ケースから離れる場合、前記褶曲層が圧縮する。
【０００９】
他の実現可能な形態において、前記第１ケースと前記第２ケースとが同一の平面に位置する場合、前記褶曲層の外表面、前記第１ケースの外表面及び前記第２ケースの外表面が同一の平面に位置する。
【００１０】
他の実現可能な形態において、前記フレキシブル被覆層が粘着性物質で前記第１ケースと前記第２ケースにそれぞれ接続され、前記粘着性物質が接着剤又は両面テープである。
【００１１】
他の実現可能な形態において、前記フレキシブル被覆層がフレキシブル材料からなり、
ここで、前記フレキシブル材料は、ポリイミド（ＰＩ：Ｐｏｌｙｉｍｉｄｅ）、ポリエチレンテレフタレート（ＰＥＴ：Ｐｏｌｙｅｔｈｙｌｅｎｅ  ｔｅｒｅｐｈｔｈａｌａｔｅ）、熱可塑性ポリウレタンエラストマー（ＴＰＵ：Ｔｈｅｒｍｏｐｌａｓｔｉｃ  Ｕｒｅｔｈａｎｅ）又はシリカゲルである。
【００１２】
第２形態として、折り畳み可能なデバイスの組立方法を提供し、第１形態に前記の折り畳み可能なデバイスに応用され、前記方法は、
前記フレキシブル被覆層を前記第１ケースと前記第２ケースにそれぞれ接続することと、
前記回転軸が前記フレキシブル被覆層の内側に位置するように、前記回転軸を前記第１ケースと前記第２ケースにそれぞれ接続することとを含む。
【００１３】
１つの実現可能な形態において、前記回転軸は、第１部品、第２部品及び接続部品を含み、前記回転軸を前記第１ケースと前記第２ケースにそれぞれ接続することは、
前記第１部品を前記第１ケースに設けられた第１係合溝に係合して接続することと、
前記第２部品を前記第２ケースに設けられた第２係合溝に係合して接続することとを含む。
【００１４】
他の実現可能な形態において、前記方法は、さらに、
前記第１ケースが前記回転軸の周りに回転して前記第２ケースに近接する過程において、前記フレキシブル被覆層の褶曲層が展開すること、又は、
前記第２ケースが前記回転軸の周りに回転して前記第１ケースの過程に近接する過程において、前記フレキシブル被覆層の褶曲層が展開することを含む。
【００１５】
他の実現可能な形態において、前記方法は、さらに、
前記第１ケースが前記回転軸の周りに回転して前記第２ケースから離れる過程において、前記フレキシブル被覆層の褶曲層が圧縮すること、又は、
前記第２ケースが前記回転軸の周りに回転して前記第１ケースから離れる過程において、前記フレキシブル被覆層の褶曲層が圧縮することを含む。
【００１６】
本開示の実施例における技術案は、以下の有益な効果を少なくとも実現する。
【００１７】
本開示の実施例における折り畳み可能なデバイスは、第１ケース、第２ケース、フレキシブルディスプレイスクリーン、回転軸及びフレキシブル被覆層を含み、第１ケースと第２ケースとは、回転軸により接続され、フレキシブル被覆層は、第１ケースと第２ケースにそれぞれ接続され、回転軸の外側を取り囲み、フレキシブルディスプレイスクリーンは、第１ケースと第２ケースにそれぞれ接続され、第１ケース、第２ケース及び回転軸の内側に位置する。フレキシブル被覆層で回転軸の外側を被覆することで、回転軸をその外部環境から有効に隔離することができ、このように、回転機能を確保するとともに、外部環境からの水分、ダスト等の異物の回転軸への影響を回避することができ、フレキシブル被覆層で回転軸を保護することで、回転軸の信頼性を向上させ、回転軸の使用寿命を延長させ、折り畳み可能なデバイスの正常使用を確保する。
【００１８】
さらに、本開示の実施例における折り畳み可能なデバイスの回転軸は、第１部品、第２部品及び接続部品を含み、第１ケースに第１係合溝が設けられ、第２ケースに第２係合溝が設けられ、第１部品を第１係合溝に係合して接続し、第２部品を第２係合溝に係合して接続し、第１部品と第２部品とは、接続部品により接続されることで、第１ケース、第２ケース及び回転軸を安定に接続することができ、フレキシブル被覆層で接続部品の外側を被覆することで、回転軸をその外部環境から有効に隔離し、外部環境からの水分、ダスト等の異物の回転軸への影響を回避し、回転軸の信頼性を向上させ、回転軸の使用寿命を延長させ、折り畳み可能なデバイスの正常使用を確保することができる。
【００１９】
さらに、フレキシブル被覆層は、下の表面が平面となり、側面が曲面となり、フレキシブル被覆層の形状が第１ケースと第２ケースの形状に合わせ、回転軸の下の表面及び側面をフレキシブル被覆層で取り囲むとともに、第１ケースと第２ケースの表面に合わせることを確保し、折り畳み可能なデバイスの外観の一致性を確保する。
【図面の簡単な説明】
【００２０】
ここの図面は、明細書に組み入れ明細書の一部とし、本開示に適合する実施例を示し、明細書とともに本開示の原理を解釈するために用いられる。
【図１】本発明の実施例における折り畳み可能なデバイスの構成図である。
【図２】本発明の実施例における回転軸の構成図である。
【図３】本発明の実施例における第１ケース及び第２ケースの構成図である。
【図４】本発明の実施例におけるフレキシブル被覆層の構成図である。
【図５】本発明の実施例における折り畳み可能なデバイスが完全な折畳状態にある模式図である。
【図６】本発明の実施例における折り畳み可能なデバイスが完全な展開状態にある模式図である
【図７】本発明の実施例における折り畳み可能なデバイスの組立方法のフローチャートである。
【図８】本発明の実施例における折り畳み可能なデバイスの組立方法のフローチャートである。
【発明を実施するための形態】
【００２１】
以下、図面を参照し、例示的な実施の形態をより全面的に説明する。記載される実施例が、本開示の一部の実施例であるが、全ての実施例でないことは明らかである。当業者は、進歩性的な労働を出さない場合、記載される実施例に基づいて得た他の実施例も本開示の範囲に入れる。
【００２２】
本開示の目的、技術案及び利点を明確するために、以下、図面を参照し本開示の実施の形態を詳しく説明する。
【００２３】
ここで、例示的な実施例を詳しく説明し、図面にその例を示す。以下に図面を説明する場合、特別に説明する以外、異なる図に同じ数字が同じ又は類似の要素を示す。以下の実施例に記載される実施の形態は、本開示と一致する全ての実施の形態を代表しなく。逆に、これらは、請求項に記載された、本開示のいくつかの形態と一致する装置及び方法の例である。
【００２４】
図１は、本発明の実施例における折り畳み可能なデバイスの構成図であり、当該折り畳み可能なデバイスは、携帯電話、タブレット等のデバイスであってもよく、図１を参照し、当該折り畳み可能なデバイスは、第１ケース１０１、第２ケース１０２、フレキシブルディスプレイスクリーン１０３、回転軸１０４及びフレキシブル被覆層１０５を含む。
【００２５】
ここで、第１ケース１０１と第２ケース１０２とは、回転軸１０４により接続され、第１ケース１０１と第２ケース１０２とは、回転軸１０４の周りに回転して、第１ケース１０１、第２ケース１０２及び回転軸１０４の内側に位置するフレキシブルディスプレイスクリーンを展開又は折り畳むことができ、且つ、回転第１ケース１０１又は第２ケース１０２を回転して、折り畳み可能なデバイスの状態を変更することができる。
【００２６】
フレキシブルディスプレイスクリーン１０３は、第１ケース１０１、第２ケース１０２及び回転軸１０４の内側に位置し、１つの面が第１ケース１０１と第２ケース１０２に貼り合わせて接続され、他の面が表示するために用いられる。第１ケース１０１又は第２ケース１０２が回転軸１０４の周りに回転する過程において、フレキシブルディスプレイスクリーン１０３は、第１ケース１０１又は第２ケース１０２の位置変化に伴って変形する。ここで、当該フレキシブルディスプレイスクリーン１０３は、フレキシブル材料により作成され、可撓、変形可能な表示部品である。
【００２７】
１つの実現可能な形態において、折り畳み可能なデバイスが展開状態にある時に、第１ケース１０１又は第２ケース１０２を回転軸１０４の周りに回転させることで、フレキシブルディスプレイスクリーン１０３の２つ部分が密接するまでフレキシブルディスプレイスクリーン１０３を折り曲げ、この時、折り畳み可能なデバイスが完全な折畳状態にある。
【００２８】
例えば、第２ケース１０２は、第１ケース１０１を基準とし、折り畳み可能なデバイスを完全に折り畳むまで、回転軸１０４の周りに回転し第１ケース１０１に徐々に近接する。又は、第１ケース１０１は、第２ケース１０２を基準とし、折り畳み可能なデバイスを完全に折り畳むまで、回転軸１０４の周りに回転し第２ケース１０２に徐々に近接する。
【００２９】
第２実現可能な形態において、折り畳み可能なデバイスが折畳状態にある時に、第１ケース１０１又は第２ケース１０２を回転軸１０４の周りに回転させることで、フレキシブルディスプレイスクリーン１０３が１つの平面として展開し、第１ケース１０１、第２ケース１０２及び回転軸１０４が同一の平面に位置するまで、フレキシブルディスプレイスクリーン１０３を徐々に展開する。
【００３０】
例えば、第２ケース１０２は、第１ケース１０１を基準とし、折り畳み可能なデバイスを完全に展開するまで、回転軸１０４の周りに回転し第１ケース１０１から徐々に離れる。又は、第１ケース１０１は、第２ケース１０２を基準とし、折り畳み可能なデバイスを完全に展開するまで、回転軸１０４の周りに回転し第２ケース１０２から徐々に離れる。
【００３１】
また、フレキシブル被覆層１０５は、第１ケース１０１と第２ケース１０２それぞれ接続され、回転軸１０４の外側を取り囲む。
【００３２】
例えば、フレキシブル被覆層１０５は、粘着性物質で第１ケース１０１と第２ケース１０２に接続され、ここで、当該粘着性物質は、接着剤又は両面テープであってもよい。又は、ホットプレス工程でフレキシブル被覆層１０５を第１ケース１０１と第２ケース１０２にそれぞれ接続する。
【００３３】
１つの実現可能な形態において、フレキシブル被覆層１０５がフレキシブル材料からなり、当該フレキシブル材料は、ポリイミドＰＩ、ポリエチレンテレフタレートＰＥＴ、熱可塑性ポリウレタンエラストマーＴＰＵ又はシリカゲル等であってもよい。フレキシブル被覆層の厚さは、第１ケース１０１と第２ケース１０２の厚さ及び回転軸１０４の厚さによって決定されてもよく、例えば、０．５ｍｍ又は他のサイズであってもよい。
【００３４】
本開示の実施例における折り畳み可能なデバイスは、第１ケース１０１と第２ケース１０２との間の接続領域に回転軸１０４及びフレキシブル被覆層１０５を有し、且つ、回転軸１０４が内側に位置し、フレキシブル被覆層１０５が回転軸１０４の外側に位置し、このように、回転機能を確保するとともに、フレキシブル被覆層１０５で回転軸１０４を保護することができる。
【００３５】
従来の技術において、折り畳み可能なデバイスは、２つ部分のケースの間に回転軸を配置し、回転軸により２つ部分のケースを接続し、さらに、回転軸を外部環境に露出させるため、回転軸に外部環境からの水分、ダスト等の異物による影響を与えやすい。回転軸に複雑な機械構成を採用されるため、外部異物により回転軸の動作故障を引き起こしやすく、折り畳み可能なデバイスの正常動作に影響を与える。
【００３６】
本開示の実施例における折り畳み可能なデバイスは、第１ケース、第２ケース、フレキシブルディスプレイスクリーン、回転軸及びフレキシブル被覆層を含み、第１ケースと第２ケースとは、回転軸により接続され、フレキシブル被覆層は、第１ケースと第２ケースにそれぞれ接続され、回転軸の外側を取り囲み、フレキシブルディスプレイスクリーンは、第１ケースと第２ケースにそれぞれ接続され、第１ケース、第２ケース及び回転軸の内側に位置する。フレキシブル被覆層で回転軸の外側を被覆し、回転軸をその外部環境から有効に隔離することができ、このように、回転機能を確保するとともに、外部環境からの水分、ダスト等の異物の回転軸への影響を回避することができ、フレキシブル被覆層で回転軸を保護することで、回転軸の信頼性を向上させ、回転軸の使用寿命を延長させ、折り畳み可能なデバイスの正常使用を確保する。
【００３７】
１つの実現可能な形態において、図２及び図３を参照し、回転軸１０４は、第１部品１０４１、第２部品１０４２及び接続部品１０４３を含み、第１部品１０４１と第２部品１０４２は、接続部品１０４３により接続され、接続部品１０４３の周りに回転することができ、フレキシブル被覆層１０５は、接続部品１０４３の外側を取り囲む。
【００３８】
第１ケース１０１に第１係合溝１０１１が設けられ、第２ケース１０２に第２係合溝１０２１が設けられている。前記第１ケース１０１と第２ケース１０２とが回転軸１０４により接続されることは、第１部品１０４１が第１係合溝１０１１に係合して接続され、第２部品１０４２が第２係合溝１０２１に係合して接続されることを含み、係合して接続された第１部品１０４１と第２部品１０４２とは、接続部品１０４３により接続され、フレキシブル被覆層１０５は、接続部品１０４３の外側を取り囲む。
【００３９】
第１部品１０４１と第１ケース１０１とは、第１係合溝１０１１で係合して接続され、一体式構造として構成される、第２部品１０４２と第２ケース１０２とは、第２係合溝１０２１で係合して接続され、一体式構造として構成される。第１ケース１０１が回転軸１０４の周りに回転する場合、実質的に、第１ケース１０１が移動し、第１ケース１０１に係合して接続された第１部品１０４１は、これに連動して接続部品１０４３の周りに回転する。第２ケース１０２が回転軸１０４の周りに回転する場合、実質的に、第２ケース１０２が移動し、第２ケース１０２に係合して接続された第２部品１０４２は、これに連動して接続部品１０４３の周りに回転する。
【００４０】
本開示の実施例における折り畳み可能なデバイスの回転軸は、第１部品、第２部品及び接続部品を含み、第１ケースに第１係合溝が設けられ、第２ケースに第２係合溝が設けられ、第１部品を第１係合溝に係合して接続し、第２部品を第２係合溝に係合して接続し、第１部品と第２部品とは、接続部品により接続されることで、第１ケース、第２ケース及び回転軸を安定に接続することができ、フレキシブル被覆層で接続部品の外側を被覆することで、回転軸をその外部環境から有効に隔離し、外部環境からの水分、ダスト等の異物の回転軸への影響を回避し、回転軸の信頼性を向上させ、回転軸の使用寿命を延長させ、折り畳み可能なデバイスの正常使用を確保することができる。
【００４１】
１つの実現可能な形態において、図４を参照し、フレキシブル被覆層１０５は、第１端１０５１及び第２端１０５２を含み、当該第１端１０５１と第２端１０５２との間に褶曲層１０５３を設けられている。
【００４２】
上記のフレキシブル被覆層１０５が第１ケース１０１と第２ケース１０２にそれぞれ接続され、回転軸１０４の外側を取り囲むことは、フレキシブル被覆層１０５の第１端１０５１が第１ケース１０１に接続され、第２端１０５２が第２ケース１０２に接続され、褶曲層１０５３が回転軸１０４の外側を取り囲むことを含む。
【００４３】
１つの実現可能な形態において、フレキシブル被覆層１０５の第１端１０５１が粘着性物質で第１ケース１０１に接続され、フレキシブル被覆層１０５の第２端１０５２が粘着性物質で第２ケース１０２に接続され、ここで、当該粘着性物質は、接着剤又は両面テープであってもよい。
【００４４】
他の実現可能な形態において、ホットプレス工程でフレキシブル被覆層１０５の第１端１０５１を第１ケース１０１に接続し、フレキシブル被覆層１０５の第２端１０５２を第２ケース１０２に接続する。
【００４５】
本実施例において、第１ケース１０１と第２ケース１０２のフレキシブルディスプレイスクリーン１０３に接続される１つの面を内表面と言い、当該内表面に対向する平面を外表面と言い、内表面と外表面との間のサイドエッジ部分を側表面と言う。ここで、内表面と外表面がともに平面となり、側表面が曲面となる。フレキシブル被覆層１０５の形状は、第１ケース１０１と第２ケース１０２の形状に合わせ、即ち、フレキシブル被覆層の下の表面が平面となり、側面が曲面となり、フレキシブル被覆層１０５が回転軸１０４の下の表面及び側表面を取り囲むとともに、第１ケース１０１と第２ケース１０２に表面に合わせることを確保し、折り畳み可能なデバイスの外観の一致性を確保する。
【００４６】
１つの実現可能な形態において、ケースの形状に合わせるように、両端が平面となり、中間が鋸歯状になる金型が用意され、金型にフレキシブル材料が充填され、ホットプレス定型で金型の形状に合わせるフレキシブル被覆層１０５を形成し、これによって、フレキシブル被覆層１０５は、「障子」の形状に類似する折り畳み可能な構成を有し、当該折り畳み可能な構成によって展開する場合に引っ張ることができ、第１ケース１０１と第２ケース１０２の内側が徐々に近接する時に外側が徐々に離れることにより増加された距離を補償する。
【００４７】
図５を参照し、第１ケース１０１又は第２ケース１０２が回転軸１０４の周りに回転して第１ケース１０１が第２ケース１０２に近接する場合、第１ケース１０１内側の一部のフレキシブルディスプレイスクリーンが第２ケース１０２内側の一部のフレキシブルディスプレイスクリーンと完全に合わせるまで褶曲層１０５３が徐々に展開する。
【００４８】
この時、フレキシブル被覆層１０５が褶曲層１０５３で展開し、回転軸１０４の外側を被覆することで、回転軸１０４がフレキシブル被覆層１０５に完全に被覆され、外部環境に直接に露出させることを回避する。
【００４９】
図６を参照し、第１ケース１０１又は第２ケース１０２が回転軸１０４の周りに回転して第１ケース１０１が第２ケース１０２から離れる場合、第１ケース１０１、第２ケース１０２及び回転軸１０４の内側のフレキシブルディスプレイスクリーンが同一の平面に完全に位置し且つ褶曲層１０５３の外表面、第１ケース１０１の外表面及び第２ケース１０２の外表面が同一の平面に位置するように展開するまで、褶曲層１０５３が徐々に圧縮する。
【００５０】
この時、フレキシブル被覆層１０５は、第１ケース１０１、第２ケース１０２及び褶曲層１０５３の外表面が同一の平面に位置するように、褶曲層１０５３を利用し第１ケース１０１と第２ケース１０２の間、回転軸１０４の外側で折り畳み、折り畳み可能なデバイスの外観の一致性を確保する。
【００５１】
図７は、本発明の実施例における折り畳み可能なデバイスの組立方法のフローチャートであり、上記の実施例に示す折り畳み可能なデバイスに応用され、図７に示すように、以下のステップを含む。
【００５２】
ステップ７０１において、フレキシブル被覆層を第１ケースと第２ケースに接続する。
【００５３】
ステップ７０２において、回転軸がフレキシブル被覆層の内側に位置するように回転軸を第１ケースと第２ケースに接続する。
【００５４】
本開示の実施例における方法は、フレキシブル被覆層を第１ケースと第２ケースにそれぞれ接続してから、回転軸がフレキシブル被覆層の内側に位置するように回転軸を第１ケースと第２ケースにそれぞれ接続し、当該フレキシブル被覆層を利用し回転軸をその外部環境から有効に隔離することで、外部環境からの水分、ダスト等の異物の回転軸への影響を回避し、回転軸の信頼性を向上させ、回転軸の使用寿命を延長させ、折り畳み可能なデバイスの正常使用を確保することができる。
【００５５】
実現可能な形態において、回転軸は、第１部品、第２部品及び接続部品を含み、回転軸を第１ケースと第２ケースにそれぞれ接続することは、
第１部品を第１ケースに設けられた第１係合溝係合して接続することと、
第２部品を第２ケースに設けられた第２係合溝係合して接続することとを含む。
【００５６】
他の実現可能な形態において、方法は、さらに、
第１ケースが回転軸の周りに回転して第２ケースに近接する過程において、フレキシブル被覆層の褶曲層が展開すること、又は、
第２ケースが回転軸の周りに回転して第１ケースに近接する過程において、フレキシブル被覆層の褶曲層が展開することを含む。
【００５７】
他の実現可能な形態において、方法は、さらに、
第１ケースが回転軸の周りに回転して第２ケースから離れる過程において、フレキシブル被覆層の褶曲層が圧縮すること、又は、
第２ケースが回転軸の周りに回転して第１ケースから離れる過程において、フレキシブル被覆層の褶曲層が圧縮することを含む。
【００５８】
図８は本発明の実施例における折り畳み可能なデバイスの組立方法のフローチャートであり、上記の実施例に示す折り畳み可能なデバイスに応用され、図８に示すように、以下のステップを含む。
【００５９】
ステップ８０１において、フレキシブル被覆層を第１ケースと第２ケースにそれぞれ接続する。
【００６０】
ここで、フレキシブル被覆層は、第１端、第２端及び褶曲層を含み、ここで、第１端が第１ケース接続に接続し、第２端が第２ケースに接続する。
【００６１】
ステップ８０２において、第１部品を第１ケースに設けられた第１係合溝に係合して接続し、第２部品を第２ケースに設けられた第２係合溝に係合して接続する。
【００６２】
折り畳み可能なデバイスの第１ケースに第１係合溝が設けられ、第２ケースに第２係合溝が設けられてよい。折り畳み可能なデバイスの回転軸は、第１部品、第２部品及び接続部品を含み、第１部品と第２部品とは、接続部品により接続し、且つ当該接続部品の周りに回転することができる。
【００６３】
第１ケースと第２ケースが回転軸により接続することは、回転軸の第１部品が第１ケースに設けられた第１係合溝に係合して接続し、回転軸の第２部品が第２ケースに設けられた第２係合溝に係合して接続する。
【００６４】
ステップ８０３において、第１ケースを基準とし、第２ケースを回転軸の周りに回転させて第１ケースに近接する過程において、フレキシブル被覆層の褶曲層が展開する。
【００６５】
回転軸の周りに回転することに伴って、第１ケース、第２ケース及び回転軸の内側のフレキシブルディスプレイスクリーンが同一の平面に位置し、且つ褶曲層の外表面、第１ケースの外表面及び第２ケースの外表面が同一の平面に位置するように展開するまで、第２ケースが第１ケースに徐々に近接する。
【００６６】
他の実施例において、第２ケースを基準とし、第１ケースが回転軸の周りに回転し第２ケースに近接する過程において、フレキシブル被覆層の褶曲層が展開する。
【００６７】
回転軸の周りに回転することに伴って、第１ケース、第２ケース及び回転軸の内側のフレキシブルディスプレイスクリーンが同一の平面に位置し、且つ褶曲層の外表面、第１ケースの外表面及び第２ケースの外表面が同一の平面に位置するように展開するまで、第１ケースが第２ケースに徐々に近接する。
【００６８】
ステップ８０４において、第１ケースを基準とし、第２ケースを回転軸の周りに回転させて第１ケースから離れる過程において、フレキシブル被覆層の褶曲層が圧縮する。
【００６９】
回転軸の周りに回転することに伴って、第１ケース、第２ケース及び回転軸が同一の平面に位置するまで第２ケースが第１ケースから徐々に離れ、この時、第１ケース、第２ケース及び回転軸内側のフレキシブルディスプレイスクリーンは展開して同一の平面に位置し、且つ褶曲層の外表面、第１ケースの外表面及び第２ケースの外表面も同一の平面に位置する。
【００７０】
他の実施例において、第２ケースを基準とし、第１ケースを回転軸の周りに回転させ第２ケースから離れる過程において、フレキシブル被覆層の褶曲層が圧縮する。
【００７１】
回転軸の周りに回転することに伴って、第１ケース、第２ケース及び回転軸が同一の平面に位置するまで第１ケースが第２ケースから徐々に離れ、この時、第１ケース、第２ケース及び回転軸内側のフレキシブルディスプレイスクリーンは展開して同一の平面に位置し、且つ褶曲層の外表面、第１ケースの外表面及び第２ケースの外表面も同一の平面に位置する。
【００７２】
本開示の実施例における方法は、フレキシブル被覆層を第１ケースと第２ケースにそれぞれ接続してから、回転軸がフレキシブル被覆層の内側に位置するように回転軸を第１ケースと第２ケースにそれぞれ接続し、当該フレキシブル被覆層を利用し回転軸をその外部環境から有効に隔離することで、外部環境からの水分、ダスト等の異物の回転軸への影響を回避し、回転軸の信頼性を向上させ、回転軸の使用寿命を延長させ、折り畳み可能なデバイスの正常使用を確保することができる。
当業者は、明細書に対する理解及び明細書に記載された発明に対する実施を介して、本発明の他の実施形態を容易に取得することができる。本開示は、本明細書に対する任意の変形、用途、又は適応的な変化を含み、これらの変形、用途、又は適応的な変化は、本発明の一般的な原理に従い、本発明に開示されていない当分野の公知知識、又は通常の技術手段を含む。明細書及び実施例は、単に例示的なものであり、本発明の本当の範囲と主旨は、特許請求の範囲によって示される。
【００７３】
なお、本開示は、以上に記載され図面に示す精確な構成限定されず、その範囲を離脱しない状況で、様々な修正や変更を実施してもよい。本発明の範囲は、添付される特許請求の範囲のみにより限定される。
【図１】
0006889737.tif 000002
【図２】
0006889737.tif 000003
【図３】
0006889737.tif 000004
【図４】
0006889737.tif 000005
【図５】
0006889737.tif 000006
【図６】
0006889737.tif 000007
【図７】
0006889737.tif 000008
【図８】
0006889737.tif 000009